(57)【要約】【課題】  装置内部に損傷を与えることなく、装置内に残留する媒体を簡単に取り除くことができる画像形成装置を提供する。【解決手段】  現像部６及び転写部７を備え、媒体Ｓ上に形成されたトナー像を定着させる定着部１１とを有する画像形成装置１において、前記定着部１１は、該定着部内に残留する前記媒体Ｓを幅方向に切断するための媒体切断部１００を備えている。【選択図】        図１
2010008784.tif 000002
【特許請求の範囲】
【請求項１】
現像部及び転写部を備え、媒体上にトナー像を形成する画像形成部と、媒体上に形成されたトナー像を定着させる定着部とを有する画像形成装置において、
前記定着部は、当該定着部内に残留する前記媒体を切断するための媒体切断部を備えることを特徴とする画像形成装置。
【請求項２】
前記媒体切断部は、前記定着部内において前記媒体の幅方向に移動自在であることを特徴とする請求項１に記載の画像形成装置。
【請求項３】
前記媒体切断部に係合して前記定着部を固定するロック機構を有し、
且つ、前記ロック機構による係合は、定着部内の媒体通路より幅方向に退避した位置においてなされることを特徴とする請求項１または請求項２に記載の画像形成装置。
【請求項４】
前記媒体切断部は、前記定着部より外方に突出し、前記ロック機構が係合する係合頭部を備えることを特徴とする請求項３に記載の画像形成装置。
【請求項５】
前記媒体切断部は、前記媒体の厚さ方向に対して媒体切断方向に所定の角度で傾斜させた刃部を備えることを特徴とする請求項２から請求項４までの何れかに記載の画像形成装置。
【請求項６】
前記媒体切断部は、回動可能な円形の刃部を備えることを特徴とする請求項２から請求項４までの何れかに記載の画像形成装置。
【請求項７】
前記媒体切断部は、直状の刃部と、当該刃部の一端が回動可能に取り付けられる支持体とを備えることを特徴とする請求項２から請求項４までの何れかに記載の画像形成装置。
【請求項８】
前記刃部の他端と前記支持体との間に第１の付勢手段が設けられて、前記刃部の他端が媒体切断方向と逆の方向に付勢されていると共に、前記支持体と前記定着部との間に第２の付勢手段が設けられて、前記支持体が前記刃部と同一方向に付勢されており、
前記第２の付勢手段のバネ定数は、前記第１の付勢手段のバネ定数より大きく設定されていることを特徴とする請求項７に記載の画像形成装置。
【請求項９】
前記定着部は、前記媒体が挿通する挿通口を備え、
前記刃部は、前記挿通口より幅方向に退避した部位にて待機可能であることを特徴とする請求項５から請求項８までの何れかに記載の画像形成装置。
【発明の詳細な説明】
【技術分野】
【０００１】
本発明は、プリンタ、複写機、ファクシミリ装置等、媒体上に印刷画像を形成する画像形成装置に関するものである。
【背景技術】
【０００２】
上記画像形成装置として、例えば、電子写真方式のプリンタでは、画像形成部の現像部において印刷データに応じたトナー像が形成され、このトナー像が転写部において用紙トレイより送り出された媒体（用紙）上に転写されると共に、トナー像が転写された用紙は定着部に送られ、定着部においてトナー像が用紙上に定着させられた後、所定の排出トレイに搬送される。
用紙は、装置内において様々な搬送手段（搬送ローラ、搬送ベルト等）により、所定の用紙搬送経路上を搬送されるが、通常、この種の装置では、用紙搬送中に紙詰まり（ジャム）や装置異常等が発生すると、その旨のメッセージを表示して、直ちに用紙搬送動作を停止させるようになっている（例えば、特許文献１参照）。
従って、このような装置では、上記のような異常状態において装置内に搬送中の用紙が残留することになる。
【特許文献１】特開２００３−３０５９０９号公報
【発明の開示】
【発明が解決しようとする課題】
【０００３】
ところで、上記のように紙詰まり等が発生した場合、装置を再起動するに当たり、装置内に残留する用紙を取り除く必要があるが、特に印刷媒体として長尺紙やロール紙が使用されていると、装置内において用紙が定着部を跨ぐような状態で残留してしまう場合が多い。
従来では、このような場合、ジャム紙を手で破いて取り除いたり、定着部を強引に引き出してジャム紙を取り除くようにしていたが、このような方法では、用紙の切れ端が装置内の隙間等に残留して切れ端の取り出しに手間取ったり、また、特に用紙が厚手のものであると、定着部を引き出す際等に紙詰まり箇所に無理な引っ張り力が加わり、装置内部を損傷させてしまうといった問題があった。
【０００４】
本発明は、上記問題に鑑みなされたもので、装置内部に損傷を与えることなく、装置内に残留する媒体を簡単に取り除くことができる画像形成装置を提供することを目的としている。
【課題を解決するための手段】
【０００５】
すなわち、本発明は、現像部及び転写部を備え、媒体上にトナー像を形成する画像形成部と、媒体上に形成されたトナー像を定着させる定着部とを有する画像形成装置において、上記定着部は、当定着部内に残留する上記媒体を切断するための媒体切断部を備えることを特徴としている。
【発明の効果】
【０００６】
本発明によれば、定着部内に媒体を切断する媒体切断部を備えるので、紙詰まり等が発生しても、装置内部に損傷を与えることなく、装置内に残留する媒体を簡単に取り除くことができる。
【発明を実施するための最良の形態】
【０００７】
以下、図１〜図１０に基づいて本発明の画像形成装置の実施形態を説明する。
図１は本発明による画像形成装置の概略構成図、図２は実施例１による定着部の構成を示す図、図３は実施例１による媒体切断部を示す図、図４は実施例２による定着部の構成を示す図、図５は実施例２による媒体切断部を示す図、図６は実施例２による支持体を示す図、図７は実施例３による定着部の構成を示す図、図８は実施例３による媒体切断部を示す図、図９は実施例３による支持体を示す図、図１０は実施例３による媒体切断部の刃部を示す図である。
【０００８】
本実施形態による画像形成装置１は、カラー電子写真方式のプリンタであって、色材としての顔料を含む樹脂から成るトナーにより、外部より入力された画像データに応じて印刷媒体上に画像を形成するものである。
【０００９】
図１中、符号１はプリンタである。このプリンタ１の上流側側部に、印刷用の媒体Ｓ（本実施形態では長尺の用紙Ｓ）が収容される用紙トレイ２が設けられている。この用紙トレイ２の繰り出し側には、収容された用紙Ｓを１枚ずつ繰り出す給紙ローラ３が設けられ、その下流側には、給紙ローラ３により繰り出された用紙Ｓを矢印Ａ方向に送り出し、後述する画像形成部５へ搬送する搬送ローラ４が設けられている。
【００１０】
上記画像形成部５は、それぞれ直列に配設されたブラック（Ｋ）、イエロ（Ｙ）、マゼンタ（Ｍ）、シアン（Ｃ）の各色のトナー像を形成する４台の現像部６と、これら現像部６により形成されたトナー像をクーロン力により用紙Ｓ上に転写する転写部７とを備える。また、この画像形成部５の下流側には、転写部７において用紙Ｓ上に転写されたトナー像を熱と押圧力により用紙Ｓに定着する定着部１１が配設されている。
【００１１】
上記転写部７は、各現像部６に対応して配設された転写ローラ８と、上記搬送ローラ４から繰り出される用紙Ｓを矢印Ａ方向に搬送する導電性の転写ベルト９と、この転写ベルト９を駆動する駆動ローラ１０ａと、その従動ローラ１０ｂとを備える。また、各転写ローラ８には、トナー像の帯電極性と逆極性の電圧が、図示しない電圧発生部より転写ベルト９を介して印加されるようになっている。
【００１２】
上記定着部１１は、熱発生体Ｈ（例えば、ハロゲンランプ）が内蔵された定着ローラ１２と、図示しない押圧手段により、定着ローラ１２に押圧された加圧ローラ１３とを備える。さらに、本実施形態では、定着部１１は、紙詰まり等で装置内に残留する用紙Ｓを切断する媒体切断部１００（２００、３００）を備えている。
【００１３】
また、定着部１１の下流側には、搬送ローラ１４、１５、排出ローラ１６等が順次設けられ、定着部１１から送り出された用紙Ｓが装置外に排出されるようになっている。
尚、図１では、上記画像形成部５を構成する静電潜像担持体（例えば、感光ドラム）や潜像形成用の露光機構（例えば、ＬＥＤヘッド、レーザヘッド）等の図示は省略されている。
【００１４】
次に、本発明の要部である定着部１１につき、実施例１〜３にて詳細を説明する。
【実施例１】
【００１５】
図２において、符号１１は定着部、符号１８は定着部１１の前面に設けられて転写部７より搬送されてくる用紙Ｓが挿通する挿通口である。この挿通口１８は、媒体通路となる定着ローラ１２と加圧ローラ１３の圧接ラインがその高さ方向の中央付近に位置するように設けられており、その幅Ｌは、用紙Ｓの幅より若干幅広に形成されている。
【００１６】
また、定着部１１内には、上記挿通口１８と並行して、その上下位置に上述した媒体切断部１００を用紙Ｓの幅方向（横方向）に誘導するためのレール１０１が配設されている。このレール１０１の一端は定着部１１の左側壁まで延設されており、この左側壁と挿通口１８の左端との間の空間部は、通常動作時（装置稼働時や停止時）に媒体切断部１００を待機しておくためのスペースとして確保されており、待機位置において、後述する媒体切断部１００の刃部１０２が挿通口１８から露出しないようになっている。
【００１７】
上記媒体切断部１００は、図３に示すように、用紙Ｓの厚さ方向（縦方向）に対して所定の傾斜角θを有する刃部（傾斜刃）１０２を有し、刃先が用紙切断方向を向くようにして、刃部１０２の上下両端部がそれぞれ固定ピン１０４にて支持体１０３に固定されている。
刃部１０２の傾斜角θは、９０°を除く任意の角であれば良く、刃部１０２に傾斜を持たせることで用紙Ｓを切断し易くできる。本実施例では、より好ましい傾斜角３０°前後に設定されている。
【００１８】
また、図２（ａ）に示すように、上下の固定ピン１０４には、刃部１０２がレール１０１に沿ってスムーズに移動するように、レール１０１上を滑動するローラ１０５が回動自在に設けられていると共に、下側の固定ピン１０４については、先端部に後述するロック本体２０と係合する係合頭部１０６が定着部１１より突出するように設けられている。尚、図示しないが、上記係合頭部１０６と対応する定着部１１の前面には、上記レール１０１と並行する欠切溝が幅方向に延設されており、当欠切溝より係合頭部１０６が突出するように構成されている。
また、支持体１０３の上端には、刃部１０２を移動させる際の取手１０７が設けられている。
【００１９】
上記ロック本体２０は、コの字型の部材で構成され、図１に示すように、通常動作において媒体切断部１００が待機するプリンタ１内の部位に固定されている。このロック本体２０と固定ピン１０４の係合頭部１０６とにより、定着部１１をプリンタ１に固定するロック機構１０８が構成されている。
すなわち、媒体切断部１００の待機位置において、ロック本体２０のコの字部２０ａに媒体切断部１００の係合頭部１０６が係合し、定着部１１の取り外し（装置上方への引き出し）がロックされる。従って、当ロック機構１０８では、定着部１１の着脱は媒体切断部１００を待機位置から右方向（用紙切断方向）に移動させて、ロックを解除させる必要がある。
符号３０は、定着部１１を持ち上げる際の把持部である。
【００２０】
次に、実施例１による動作につき、図１〜図３を参照して説明する。尚、以下に説明するプリンタ１の動作は、プリンタ１内に搭載された図示しない制御部によって制御されるものである。
【００２１】
プリンタ１が上位装置（例えば、パソコン）からの印刷命令を受信すると、先ず、給紙ローラ３が駆動され、用紙トレイ２より用紙Ｓが繰り出される。用紙トレイ２より繰り出された用紙Ｓは、搬送ローラ４により矢印Ａの方向に送り出され、搬送路上を画像形成部５へと搬送される。
画像形成部５では、上記印刷命令とともに受信した画像データに基づき、ブラック、イエロ、マゼンタ、シアンの各色の各現像部６及び転写部７により用紙Ｓの表面にトナー像が形成されると共に、トナー像が形成された用紙Ｓは駆動ローラ１０ａにて駆動される転写ベルト９により下流側の定着部１１へと搬送される。
定着部１１において、用紙Ｓは、挿通口１８より定着部内に搬送され、定着部内において定着ローラ１２と加圧ローラ１３により加えられる熱と圧力により用紙Ｓ上にトナー像が定着される。定着後、用紙Ｓは、搬送ローラ１４、１５及び排出ローラ１６を介してプリンタ１より排出される。
【００２２】
ここで、用紙搬送中に紙詰まり等のトラブルが発生すると、用紙搬送動作は直ちに停止されるため、用紙Ｓは装置内に残留することになる。
用紙Ｓが定着部１１を跨ぐような状態で残留している場合は、媒体切断部１００の取手１０７を掴んで定着部１１の左隅に待機させてある媒体切断部１００を、レール１０１に沿って右方向に移動させる。本実施例では、上述したように刃部１０２として傾斜刃が用いられており、用紙Ｓへの刃先の進入角度が小さいことから、用紙Ｓは引き切られるようにスムーズに切断される。
用紙Ｓの切断後、把持部３０を掴んで装置上部より定着部１１を引き出せば、定着部１１内に残留している用紙Ｓは勿論のこと、装置側に残留している用紙Ｓも簡単に取り除くことができる。
また、媒体切断部１００が待機位置にある場合は、ロック機構１０８により定着部１１がロックされているため、詰まった用紙Ｓを切断せずに定着部１１を取り出すことはできない。換言すれば、紙詰まり発生時の定着部１１の着脱には、必ず用紙Ｓの切断動作が必要である。
【００２３】
以上、実施例１によれば、定着部１１に用紙Ｓを切断するための媒体切断部１００を設けたので、紙詰まり等が発生しても、装置内部に損傷を与えることなく、装置内に残留する用紙Ｓを簡単に取り除くことができる。
また、媒体切断部１００は、定着部１１内に配設されており、刃部１０２が外部に露出しない構造であるため、用紙Ｓの取り出し作業は安全に行える。
また、媒体切断部１００が待機位置にあると、ロック機構１０８により定着部１１がロックされ、定着部１１を取り外せなくなるため、誤って用紙Ｓを切断せずに定着部１１を引き出し、装置を損傷させるといった不都合を回避できる。
【実施例２】
【００２４】
以下、図４〜図６に基づいて本発明の実施例２を説明する。尚、実施例２では、主として実施例１と相違する点について説明する。
図４において、符号１１は定着部、符号１８はこの定着部１１の前面に設けられた用紙Ｓの挿通口であり、その幅Ｌは用紙Ｓ幅より若干幅広に形成されている。この挿通口１８の下縁部には、挿通口１８より挿通する用紙Ｓを支える用紙受け２１３（傾斜部）が設けられ、この用紙受け２１３の後端に、後述する媒体切断部２００の刃部２０２の刃先が滑動する凹溝２１３ａが形成されている。
【００２５】
また、定着部１１内であって、挿通口１８の上方位置には、媒体切断部２００を用紙Ｓの幅方向に誘導するための一対のレール２０１が配設されている。そして、実施例１と同様に、挿通口１８の左端と定着部１１の左側壁との間には、通常動作時に媒体切断部２００を待機させておくスペースが確保されており、待機位置において、挿通口１８から後述する媒体切断部２００の刃部２０２が露出しないようになっている。
【００２６】
上記媒体切断部２００は、図５、図６示すように、留金２１１により支軸２１０の下端に回動可能に取り付けられた円形の刃部２０２（ロータリカッター）と、これを支持する有底箱形の支持体２０３とを有し、支軸２１０（すなわち、刃部２０２）は、支持体２０３の底部に介装されたバネ２１２の弾性により、常時上方向に付勢されている。従って、この状態では、刃部２０２の刃先は上述した用紙受け２１３の凹溝２１３ａより若干離間した状態となっている。上記支軸２１０の上端には、刃部２０２を移動させる際の取手２０７が設けられている。
【００２７】
また、上記留金２１１方向に対応する支持体２の両側壁には、固定ピン２０４が設けられ、これら固定ピン２０４には、刃部２０２がレール２０１に沿ってスムーズに移動するように、レール２０１上を滑動する一対のローラ２０５が回動自在に設けられていると共に、外方に向く固定ピン１０４については、先端部にロック本体２０と係合する係合頭部２０６が定着部１１より突出するように設けられている。尚、図示しないが、上記係合頭部２０６と対応する定着部１１の前面には、上記レール２０１と並行する欠切溝が幅方向に延設されており、当欠切溝より係合頭部２０６が突出するように構成されている。
【００２８】
上記ロック本体２０は、通常動作時に媒体切断部２００が待機するプリンタ１内の部位に固定されている。このロック本体２０と固定ピン２０４の係合頭部２０６とにより、定着部１１をプリンタ１に固定するロック機構２０８が構成されている。
すなわち、媒体切断部２００の待機位置において、ロック本体２０のコの字部２０ａに媒体切断部２００の係合頭部２０６が係合し、定着部１１の取り外し（装置上方への引き出し）がロックされる。従って、当ロック機構２０８では、定着部１１の着脱は媒体切断部２００を待機位置から右方向（用紙切断方向）に移動させて、ロックを解除させる必要がある。
符号３０は、定着部１１を持ち上げる際の把持部である。
【００２９】
次に、実施例２による動作につき、図４〜図６を参照して説明する。尚、用紙Ｓの搬送動作は実施例１と同様であり、ここでは説明を省略する。
【００３０】
用紙搬送中に紙詰まり等のトラブルが発生し、用紙Ｓが定着部１１を跨ぐような状態で残留している場合は、実施例１の場合と同様に、媒体切断部２００の取手２０７を掴んで定着部１１の左隅に待機させてある媒体切断部２００を、レール２０１に沿って右方向に移動させるが、この時、刃部２０２の刃先は用紙受け２１３の凹溝２１３ａ上より若干浮き上がった状態となっているため、先ず、図５に示すように、取手２０７を下方に押下して刃部２０２の刃先を凹溝２１３ａに押しつけ、その後に媒体切断部２００を右方向に移動させるようにする。媒体切断部２００を移動させると、刃部２０２は留金２１１を回転中心として回転し、用紙Ｓはスムーズに切断される。
【００３１】
用紙Ｓの切断後、把持部３０を掴んで装置上部より定着部１１を引き出せば、定着部１１内に残留している用紙Ｓは勿論のこと、装置側に残留している用紙Ｓも簡単に取り除くことができる。
また、媒体切断部２００が待機位置にある場合は、ロック機構２０８により定着部１１がロックされているため、詰まった用紙Ｓを切断せずに定着部１１を引き出すことはできない。
【００３２】
以上、実施例２によれば、実施例１による効果に加え、媒体切断部２００の刃部２０２を回動自在の丸刃で構成したので、用紙Ｓに対する刃部２０２の加圧力は小さく、用紙Ｓをスムーズに切断することができるという効果を有する。
また、刃部２０２がバネ２１２を介して支持体２０３に支持されているため、紙詰まりにより生じた用紙の皺や撓み、或いは、使用される用紙の厚さ等により、用紙Ｓに対する刃先の加圧力が多少変動したとしても、バネ２１２の弾性力による刃部２０２の上下動によってその変動分が吸収可能であり、よって、常に一定の加圧力にて用紙Ｓをスムーズに切断することができる。
【実施例３】
【００３３】
以下、図７〜図１０に基づいて本発明の実施例３を説明する。
図６において、符号１１は定着部、符号１８はこの定着部１１の前面に設けられた用紙Ｓの挿通口であり、その幅Ｌは用紙Ｓ幅より若干幅広に形成されている。
【００３４】
また、定着部１１内であって、挿通口１８の上方位置には、媒体切断部３００を用紙Ｓの幅方向に案内するガイド部材３１０が配設されていると共に、このガイド部材３１０に対向する定着部１１の底部には、上記媒体切断部３００を用紙Ｓの幅方向に誘導するためのレール３０１が配設されている。そして、実施例１、２と同様に、挿通口１８の左端と定着部１１の左側壁との間には、通常動作時に媒体切断部３００を待機させておくスペースが確保されており、待機位置において、挿通口１８から後述する媒体切断部３００の刃部３０２が露出しないようになっている。
【００３５】
上記媒体切断部３００は、図８〜図１０に示すように、上部に取手３０７を設けた直状の刃部３０２と、この刃部３０２を支持する支持体３０３とを有する。支持体３０３は、刃部３０２を支持する台部３０３ｂと、この台部３０３ｂより起立する起立部３０３ａとで構成されており、刃部３０２の下端部が固定ピン３０４によりピン孔３１４を介して上記台部３０３ｂに回動自在に取り付けられている。従って、図８に示すように、取手３０７の操作により固定ピン３０４を中心に刃部３０２を回動させることにより、刃部３０２を実施例１と同等の傾斜刃として用いることができる。
【００３６】
また、この固定ピン３０４の先端部には、図７（ａ）に示すように、ロック本体２０と係合する係合頭部３０６が定着部１１より外方に突出するように設けられている。尚、上記係合頭部３０６と対応する定着部の前面には、欠切溝３１１が幅方向に延設されており、当欠切溝３１１より上記係合頭部３０６が突出するように構成されている。
また、支持体３０３の台部３０３ｂには、刃部３０２がレール３０１に沿ってスムーズに移動させられるように、レール３０１上を滑動するローラ３０５が回動自在に設けられている。
【００３７】
また、上記媒体切断部３００では、刃部３０２の上端と起立部３０３ａの上端部との間に第１のバネ３１２（第１の付勢手段）が設けられ、その弾性力により刃部３０２の上端が左方向（用紙Ｓの切断方向と逆の方向）に付勢されていると共に、支持体３０３の台部３０３ｂと定着部１１の左側壁との間に第２のバネ３１３（第２の付勢手段）が設けられ、その弾性力により支持体３０３が刃部３０２と同一方向（用紙Ｓの切断方向と逆の方向）に付勢されている。
そして、本実施例では、第２のバネ３１３のバネ定数が第１のバネ３１２のバネ定数より大きく設定されている。
【００３８】
上記ロック本体２０は、通常動作時に媒体切断部３００が待機するプリンタ１内の部位に固定されている。このロック本体２０と固定ピン３０４の係合頭部３０６により、定着部１１をプリンタ１に固定するロック機構３０８が構成されている。
すなわち、媒体切断部３００の待機位置において、ロック本体２０のコの字部２０ａに係合頭部３０６が係合し、定着部１１の取り外し（装置上方への引き出し）がロックされる。従って、当ロック機構３０８では、定着部１１の着脱は媒体切断部３００を待機位置から用紙切断方向に移動させて、ロックを解除させる必要がある。
符号３０は、定着部１１を持ち上げる際の把持部である。
【００３９】
次に、実施例３による動作につき、図６〜図１０を参照して説明する。尚、用紙Ｓの搬送動作は実施例１と同様であり、ここでは説明を省略する。
【００４０】
実施例３では、上述したように、刃部３０２の上端と支持体３０３の間に第１のバネ３１２が設けられて、刃部３０２の上端が左方向に付勢されていると共に、支持体３０３と定着部１１の側壁との間に第２のバネ３１３が設けられて、支持体３０３が刃部３０２と同一方向に付勢されており、且つ、第２のバネ３１３のバネ定数が第１のバネ３１２のバネ定数より大きく設定されていることから、図８に示すように、取手３０７を掴んで媒体切断部２００を右方向に移動させると、刃部３０２が固定ピン３０４を中心に右回りに回転し、刃部３０２を傾斜刃として使用することができるため、実施例１と同様に、残留する用紙Ｓをスムーズに切断することができる。
【００４１】
すなわち、取手３０７を掴んで媒体切断部３００を用紙切断方向に移動させようとすると、先ず、付勢力が小さい刃部３０２の方が回動し、次いで、付勢力が大きい支持体３０３が移動することになる。尚、刃部３０２の傾斜角は、第１、第２のバネのバネ定数を変えることで任意に設定可能である。
用紙切断後、取手３０７を解放すると、媒体切断部３００は、第１、第２のバネの付勢力により、刃部３０２を直立させた状態で待機位置に復帰させられる。
【００４２】
用紙Ｓの切断後、把持部３０を掴んで定着部１１を装置上部より引き出せば、定着部１１内に残留している用紙Ｓは勿論のこと、装置側に残留している用紙Ｓも簡単に取り除くことができる。
また、媒体切断部３００が待機位置にある場合は、ロック機構３０８により定着部１１がロックされているため、詰まった用紙Ｓを切断せずに定着部１１を引き出すことはできない。
【００４３】
以上、実施例３によれば、実施例１による効果に加え、第１のバネ３１２の付勢力により刃部３０２が直立状態となるため、実施例１の場合に比べて、媒体切断部３００の待機位置を確保するための幅方向のスペースを節約でき、その分、装置の小型化に寄与できる。
また、第２のバネ３１３の付勢力により媒体切断部３００が待機位置に復帰させられるため、用紙除去後の再起動時に媒体切断部３００が挿通口１８の前に停留して、新たな用紙Ｓの搬送が阻害されるといった不都合を回避することができる。
【産業上の利用可能性】
【００４４】
以上、本実施例では、画像形成装置としてプリンタを説明したが、本発明は電子写真方式の複写機、複合機、ファクシミリ等にも適用可能である。
【図面の簡単な説明】
【００４５】
【図１】本発明による画像形成装置の概略構成図である。
【図２】実施例１による定着部の構成を示し、（ａ）は側面図（ｂ）は正面図である。
【図３】実施例１による媒体切断部を示す図である。
【図４】実施例２による定着部の構成を示し、（ａ）は側面図（ｂ）は正面図である。
【図５】実施例２による媒体切断部を示す図である。
【図６】実施例２による支持体を示す図である。
【図７】実施例３による定着部の構成を示し、（ａ）は側面図（ｂ）は正面図である。
【図８】実施例３による媒体切断部を示す図である。
【図９】実施例３による支持体を示す図である。
【図１０】実施例３による媒体切断部の刃部を示す図である。
【符号の説明】
【００４６】
１  プリンタ（画像形成装置）
５  画像形成部
６  現像部
７  転写部
１１  定着部
１８  挿通口
１００、２００、３００  媒体切断部
１０８、２０８、３０８  ロック機構
１０１、２０１、３０１  レール
３１２  第１のバネ（第１の付勢手段）
３１３  第２のバネ（第２の付勢手段）
Ｓ  用紙（媒体）
【図１】
2010008784.tif 000003
【図２】
2010008784.tif 000004
【図３】
2010008784.tif 000005
【図４】
2010008784.tif 000006
【図５】
2010008784.tif 000007
【図６】
2010008784.tif 000008
【図７】
2010008784.tif 000009
【図８】
2010008784.tif 000010
【図９】
2010008784.tif 000011
【図１０】
2010008784.tif 000012